(57)【要約】【課題】災害発生時にユーザの円滑な避難活動及び安否確認活動を支援する利便性の高い通信端末装置を提供する。【解決手段】受信した緊急情報を報知する報知機能を備えた通信端末装置１０において、通信端末装置１０を制御する制御部１００と、待ち受け状態にある時、所定の記憶部（ＲＡＭ１０３）に記憶された第１の待ち受け画像情報を表示する表示部２００と、緊急情報を受信する受信部１４０と、受信した緊急情報に基づいて音声または画像により緊急情報を報知する報知部と、緊急情報に対して利用者が予め当該緊急情報に対する所望の対処情報を登録する記憶部（ＲＡＭ１０３）と、を備え、制御部１００は、緊急情報を受信して報知した後、前記記憶部に登録された対処情報の有無を判定し、前記対処情報が登録されている場合は、対処情報に基づく第２の待ち受け画像情報を所定の記憶部に記憶し、当該所定の記憶部に記憶された待ち受け画像情報を表示部２００に表示する。【選択図】図３
2014048820.tif 000002
【特許請求の範囲】
【請求項１】
ネットワークを介して受信した緊急情報を報知する報知機能を備えた通信端末装置において、
前記通信端末装置を制御する制御部と、
待ち受け状態にある時、所定の記憶部に記憶された第１の待ち受け画像情報を表示する表示部と，
前記緊急情報を受信する受信部と、
受信した緊急情報に基づいて音声または画像により緊急情報を報知する報知部と、
緊急情報に対して利用者が予め当該緊急情報に対する所望の対処情報を登録する記憶部と、を備え、
前記制御部は、前記緊急情報を受信して報知した後、前記記憶部に登録された対処情報の有無を判定し、前記対処情報が登録されている場合は、前記対処情報に基づく第２の待ち受け画像情報を前記所定の記憶部に記憶し、当該所定の記憶部に記憶された第２の待ち受け画像情報を前記表示部に表示することを特徴とする通信端末装置。
【請求項２】
前記制御部は、前記対処情報が登録されていない場合、前記所定の記憶部に記憶された１の待ち受け画像情報を前記表示部に表示することを特徴とする請求項１に記載の通信端末装置。
【請求項３】
前記対処情報は、少なくとも避難経路の情報、緊急連絡先の情報の何れか１つ又は両方を含むことを特徴とする請求項１又は請求項２に記載の通信端末装置。
【請求項４】
前記制御部は、前記第２の待ち受け画像情報を前記表示部に表示した場合、予め定所定の時間を経過するまでは、当該通信端末装置のスタンバイ状態への移行を無効とすることを特徴とする請求項１乃至請求項３の何れか１項に記載の通信端末装置。
【発明の詳細な説明】
【技術分野】
【０００１】
本発明は、ネットワークを介して受信した緊急情報を報知する報知機能を備えた通信端末装置に関し、特に、災害発生時にユーザの円滑な避難活動及び安否確認活動を支援する利便性の高い通信端末装置に関するものである。
【背景技術】
【０００２】
例えば、気象庁は、地震が発生した際、緊急地震速報を配信する。緊急地震速報は、地震の発生直後に、震源に近い地震観測装置で捉えた観測データを解析して震源の位置や地震の規模（マグニチュード）を推定し、それに基づく各地での主要動の到達時刻や震度を可及的速やかに報知するための緊急情報である。なお、緊急情報には、緊急地震速報以外に、河川の増水に関する情報や、台風情報等がある。
【０００３】
これらの緊急情報の活用技術として、例えば、下記の特許文献１（特開２００８−１１７１６６号公報）には、気象庁から配信される緊急地震速報を基地局で受信して編集し、各報知装置に配信することにより、報知装置のそれぞれの場所での予測震度や到達猶予時間等を音声及び表示情報として利用者に提供するようにした技術が開示されている。
【先行技術文献】
【特許文献】
【０００４】
【特許文献１】特開２００８−１１７１６６号公報（段落［００６０］）
【発明の概要】
【発明が解決しようとする課題】
【０００５】
一般的に、このような緊急情報を受信して報知する場合には予め設定された情報が音声報知や表示装置への表示により報知される。例えば、緊急地震速報を受信した場合には、受信地点における予測震度、到達予測時刻、震源地名、震源位置（緯度・経度）マグニチュード、震源深さなどの情報が報知される。利用者はこのような緊急情報の報知を受けることにより、円滑に避難活動を開始し、或いは家族や知人の安否確認活動を開始することができる。
【０００６】
災害発生時の避難活動及び安否確認活動には、通信機能を備え、様々なユーザ情報を格納してあるタブレット端末等の通信端末装置或いはスマートフォン端末等の通信端末装置が非常に有用であるが、現状では災害発生時の活用方法が十分に考慮されていないという課題が存在した。
【０００７】
例えば、災害発生時には通信機能が利用不可となっており、通信機能による情報収集が出来ない場合もあるため、通信依存せず、ユーザが必要な情報に容易にアクセスできる機能が望まれる。また、災害発生時にはユーザがパニック状態に陥っていることも想定されるため、より簡易な操作で必要な情報にアクセス可能であることが望まれる。更には、災害発生時には停電が発生している可能性もあるため、不要なバッテリー消耗を低減させるため、最低限の操作で必要な情報にアクセス可能であることが望まれる。上記特許文献１に開示された発明においてはこのような要請に対応する技術は何ら考慮されていない。
【０００８】
本発明は、上記の問題点を解消することを課題とするものであり、緊急情報を報知する報知機能を備えた通信端末装置において、災害発生時にユーザの円滑な避難活動及び安否確認活動を支援する利便性の高い通信端末装置を提供することを目的とするものである。
【課題を解決するための手段】
【０００９】
前記課題を解決するために、本願の請求項１に係る発明は、
ネットワークを介して受信した緊急情報を報知する報知機能を備えた通信端末装置において、
前記通信端末装置を制御する制御部と、
待ち受け状態にある時、所定の記憶部に記憶された第１の待ち受け画像情報を表示する表示部と、
前記緊急情報を受信する受信部と、
受信した緊急情報に基づいて音声または画像により緊急情報を報知する報知部と、
緊急情報に対して利用者が予め当該緊急情報に対する所望の対処情報を登録する記憶部と、を備え、
前記制御部は、前記緊急情報を受信して報知した後、前記記憶部に登録された対処情報の有無を判定し、前記対処情報が登録されている場合は、前記対処情報に基づく第２の待ち受け画像情報を前記所定の記憶部に記憶し、当該所定の記憶部に記憶された待ち受け画像情報を前記表示部に表示することを特徴とする。
【００１０】
また、本願の請求項２に係る発明は、請求項１に係る通信端末装置において、前記制御部は、前記対処情報が登録されていない場合、前記所定の記憶部に記憶された第１の待ち受け画像情報を前記表示部に表示することを特徴とする。
【００１１】
また、本願の請求項３に係る発明は、請求項１又は請求項２に係る通信端末装置において、前記対処情報は、少なくとも避難経路の情報、緊急連絡先の情報の何れか１つ又は両方を含むことを特徴とする。
【００１２】
また、本願の請求項４に係る発明は、請求項１乃至請求項３の何れか１項に係る通信端末装置において、前記制御部は、前記第２の待ち受け画像情報を前記表示部に表示した場合、予め定所定の時間を経過するまでは、当該通信端末装置のスタンバイ状態への移行を無効とすることを特徴とする。
【発明の効果】
【００１３】
本発明にかかる通信端末装置によれば、待ち受け画面（壁紙）を差し替えることにより、通信端末装置を起動後（再起動後及びスタンバイ復帰後も含む）にも特殊なユーザ操作無しで当該情報が直接画面表示されるようになるので、災害発生でパニック状態にあるユーザでも最低限の操作で当該情報にアクセスできると共にバッテリー消耗を最低限に抑制できる。
【００１４】
請求項１に係る発明においては、ネットワークを介して受信した緊急情報を報知する報知機能を備えた通信端末装置において、通信端末装置を制御する制御部と、待ち受け状態にある時、所定の記憶部に記憶された第１の待ち受け画像情報を表示する表示部と、前記緊急情報を受信する受信部と、受信した緊急情報に基づいて音声または画像により緊急情報を報知する報知部と、緊急情報に対して利用者が予め当該緊急情報に対する所望の対処情報を登録する記憶部と、を備え、前記制御部は、前記緊急情報を受信して報知した後、前記記憶部に登録された対処情報の有無を判定し、前記対処情報が登録されている場合は、前記対処情報に基づく第２の待ち受け画像情報を前記所定の記憶部に記憶し、当該所定の記憶部に記憶された待ち受け画像情報を前記表示部に表示する。
【００１５】
また、請求項２に係る発明においては、請求項１に係る通信端末装置において、前記制御部は、前記対処情報が登録されていない場合、前記所定の記憶部に記憶された第１の待ち受け画像情報を前記表示部に表示する。
【００１６】
かかる構成によれば、待ち受け画面（壁紙）を差し替えることにより、通信端末装置を起動後（再起動後及びスタンバイ復帰後も含む）にも特殊なユーザ操作無しで当該情報が直接画面表示されるようになるので、災害発生でパニック状態にあるユーザでも最低限の操作で当該情報にアクセスできると共にバッテリー消耗を最低限に抑制できる。
【００１７】
また、請求項３に係る発明においては、請求項１又は請求項２に係る通信端末装置において、前記対処情報は、少なくとも避難経路の情報、緊急連絡先の情報の何れか１つ又は両方を含む。
【００１８】
かかる構成によれば、災害発生でパニック状態にあるユーザでも最低限の操作で緊急時の対処情報、例えば、避難経路の情報、緊急連絡先の情報にアクセスできる。また、サーバなどとの通信が不能な場合でも、緊急時の対処情報にアクセスできる。
【００１９】
また、請求項４に係る発明においては、請求項１乃至請求項３の何れかに係る通信端末装置において、前記制御部は、前記第２の待ち受け画像情報を前記表示部に表示した場合、予め定所定の時間を経過するまでは、当該通信端末装置のスタンバイ状態への移行を無効とする。
【００２０】
かかる構成によれば、緊急地震速報などの緊急情報を受信してから一定時間（例えば、避難活動を想定して1時間など）は、スタンバイ状態への移行を無効にして上記情報を常に閲覧できるから利用者の利便性が向上する。
【図面の簡単な説明】
【００２１】
【図１】本発明の実施例に係る通信端末装置の構成を示すブロック図である。
【図２】本発明の実施例に係る通信端末装置の処理手順を示すフローチャートである。
【図３】図２の処理に続く処理手順を示すフローチャートである。
【図４】スタンバイ状態の表示画面の例を示す図である。
【図５】通常の状態における第１の待ち受け画像の一例を示す図である。
【図６】緊急情報受信後に表示される第２の待ち受け画像の一例を示す図である。
【発明を実施するための形態】
【００２２】
以下、本発明の具体例を実施例及び図面を用いて詳細に説明する。但し、以下に示す実施形態は、本発明の技術的思想を具体化するための通信端末装置を例示するものであって、本発明をこの通信端末装置に特定することを意図するものではなく、特許請求の範囲に含まれるその他の実施形態の通信端末装置にも等しく適応し得るものである。
【実施例】
【００２３】
まず、図１を参照して、本実施形態の通信端末装置の一例としてのタブレット型コンピュータについて説明する。図１は、本実施形態のタブレット型コンピュータ１０の内部ブロック図である。なお、タブレット型コンピュータ１０は、例えば、携帯情報端末装置や携帯電話などの通信端末装置であってもよい。
【００２４】
本実施例のタブレット型コンピュータ１０は、制御部１００、外部電源入力部１１０、外部電源入力状態検出部１２０、二次電池１３０、無線通信部１４０（受信部）、カメラ１５０、振動センサ１６０、角度センサ１７０、人感センサ１８０、入力部１９０、表示部２００（報知部）、アンプ２１０（音量制御部）及びスピーカ２２０（報知部）を備えて構成される。また、無線通信部１４０には、ネットワーク２３０を介して緊急情報配信サーバ２４０が接続される。
【００２５】
制御部１００は、ＣＰＵ１０１、ＲＡＭ１０２及びＲＯＭ１０３を備えて構成されるマイクロプロセッサであり、ＲＯＭ１０３に記憶されたプログラムをＣＰＵ１０１において実行することによって、タブレット型コンピュータ１０の各機能の動作を制御・統括する。
【００２６】
外部電源入力部１１０は、電源コード接続用コネクタ、電圧制御回路、充電制御回路（図示せず）等を備えて構成される。電源コード接続用コネクタは、タブレット型コンピュータ１０のハウジングの側面の一つに形成され、ここに電源コードプラグが接続される。電源コードプラグが電源コード接続用コネクタに接続されると、商用電源から変圧器等を介して所定電圧に降圧された直流電力がタブレット型コンピュータ１０に供給される。電圧制御回路は、供給された電力の電圧を一定値に調節し、タブレット型コンピュータ１０の各部に継続的に電力を供給する。
【００２７】
外部電源入力状態検出部１２０は、外部電源入力部１１０の電源コード接続用コネクタに電源コードプラグが接続されているか否かを検出し、その検出結果を制御部１００に出力する。外部電源入力状態検出部１２０は、外部電源入力部１１０に電源コードプラグが接続されており、後述する二次電池１３０が満充電状態でない場合には、所定電圧又は所定電流の電力を二次電池１３０に供給して充電する。また、二次電池１３０が満充電状態になった場合には、二次電池１３０に対する充電を終了する。また、充電制御回路は、電源コード接続用コネクタに電源コードプラグが接続されていない場合に、二次電池１３０に充電されている電力を電圧制御回路に供給することにより、タブレット型コンピュータ１０の各部に電力を供給する制御を行う。
【００２８】
二次電池１３０は、タブレット型コンピュータ１０のハウジング内に電池パックの形態で収容される。二次電池１３０は、例えば、リチウムイオン二次電池である。
【００２９】
無線通信部１４０は、ネットワーク２３０を介してアクセスポイントとの間で通信を行うためのものである。無線通信部１４０は、タブレット型コンピュータ１０がアクセスポイントとの間で通信を行う際に、通信セッションの確立、切断を含む制御を行う。また、送信するデータがある場合には、データを符号化した後にパケット化し、所定周波数の無線を使用してアクセスポイントに対して送信を行う。また、アクセスポイントからデータを受信した場合には、パケットを組立てた後に復号化を行い、受信すべきデータを取得し、制御部１００のＲＡＭ１０３に記憶する。
【００３０】
本実施例では、アクセスポイントとして緊急情報配信サーバ２４０が接続されている。緊急情報配信サーバ２４０は、気象庁のサーバに接続されており、気象庁から配信される緊急情報、例えば、緊急地震速報、河川の増水に関する情報、台風情報等を受信し、ネットワーク２３０を介してタブレット型コンピュータ１０に配信する。
【００３１】
カメラ１５０は、タブレット型コンピュータ１０の後述する表示部２００が設けられている面と同じ側に設けられる内蔵式カメラであり、利用者が表示部２００を操作する際に、利用者の状態を撮影することができる。
【００３２】
振動センサ１６０は、加速度センサによって構成され、タブレット型コンピュータ１０に加わる加速度を計測する。制御部１１０は、例えば、タブレット型コンピュータ１０に加わる重力加速度の変化を検出し、タブレット型コンピュータ１０がどのような向きにあるのかを判定し、それに合わせて表示部２００に表示する画像の向きを制御することができる。
【００３３】
角度センサ１７０は、角加速度センサによって構成され、タブレット型コンピュータ１
０の単位時間当たりの回転角の変化を検出する。検出された回転角の変化は、カメラ１５０の手振れ検出等に使用することができる。
【００３４】
人感センサ１８０は、例えば、温度センサによって構成され、温度変化を検出することにより、タブレット型コンピュータ１０の近傍の人の有無を検出する。
【００３５】
入力部１９０は、タッチパネル１９１及びハードキー１９２により構成される。タッチパネル１９１は、表示部２００の表面に設けられる。タッチパネル１９１は、利用者が表示部２００に表示されたソフトキーを視認しながらタッチパネル１９１の特定部位に手指やスタイラスによる接触を行った場合に、接触を検出した位置情報を出力する。ハードキー１９２は、タブレット型コンピュータ１０のハウジングに設けられる押しボタンスイッチ等の機械的なスイッチであり、電源のオン／オフ、表示部２００のオン／オフ等の操作を行うために用いられる。
【００３６】
表示部２００は、タブレット型コンピュータ１０の一方の面の大半を占める位置に設けられており、液晶パネルユニット又は有機ＥＬパネルユニット等で構成されている。表示部２００は、制御部１００によって生成される各種画像、ソフトキー等を表示する。
【００３７】
スピーカ２２０は、タブレット型コンピュータ１０に内蔵されており、アンプ２１０により音量制御された警報音や音声を出力する。
【００３８】
タブレット型コンピュータ１０のような携帯情報端末装置や携帯電話などの通信端末装置は、利用者が当該装置を使用していない状態（スタンバイ状態）と、当該装置を使用している状態（非スタンバイ状態）がある。スタンバイ状態では、図４に示すように表示部２００の画面には何も画像が表示されない黒い画面２０１（液晶のバックライトが消灯の状態）になる。この画面はタブレット型コンピュータ１０の電源ボタン（図示せず）が操作されると非スタンバイ状態となり、装置使用中（非スタンバイ状態）になる。
【００３９】
非スタンバイ状態になると、表示部２００は液晶のパックライトが点灯され、図５に示すように画像表示領域２００ａに待ち受け画像２０２が表示される。待ち受け画像は壁紙とも称され、風景や植物などの写真画像が表示される。一般にはこの待ち受け画像は、タブレット型コンピュータ１０に予め用意された複数の画像から任意に選択指定し、或いは利用者が用意した写真画像を登録して表示させることができる。以下、この待ち受け画像を第１の待ち受け画像ということとする。なお、表示領域２００ｂにはホーム、メニュー、戻る、音量の増減を指定するための各種ソフトキーが表示されるが、これらソフトキーにかえアプリケーション毎のアイコン画像を表示してもよい。
【００４０】
本発明に係るタブレット型コンピュータ１０においては、利用者は予め緊急情報を受信した際の避難経路や緊急連絡先などの対処情報を登録できるように構成している。タブレット型コンピュータ１０は、緊急情報を受信して所定の時間、音声や表示による報知を行った後、表示部２００に表示される待ち受け画面を、通常の第１の待ち受け画面から、登録された対処情報に基づく第２の待ち受け画面に自動的に切り換える。
【００４１】
図６は、緊急情報が緊急地震速報である場合を例に、利用者が登録した対処情報に基づいて表示される第２の待ち受け画像の一例を示しており、表示部２００の表示領域２００ａには、避難手経路の情報、緊急連絡先（親族、自治体、病院など）の情報を含む第２の待ち受け画像２０３が表示される。このように、待ち受け画像（壁紙）を差し替えることにより、タブレット型コンピュータ１０起動後（再起動後及びスタンバイ復帰後も含む）にも特殊なユーザ操作無しで当該対処情報が直接画面表示されるようになるので、災害発生でパニック状態にある利用者でも最低限の操作で当該対処情報にアクセスできるように
なる。また、バッテリー消耗を最低限に抑制することができる。
【００４２】
次に、図２、図３のフローチャートに基づき、タブレット型コンピュータ１０の処理手順を説明する。図２は、緊急速報の受信から報知までの処理手順を示すフローチャートであり、図３は図２の処理に続く処理手順を示すフローチャートである。なお、図２、図３に示す各処理は、制御部１００が備えるＲＯＭ１０２に記憶されている制御プログラムを実行することで実現される。
【００４３】
制御部１００は、無線通信部１４０がネットワーク２３０を介して緊急情報配信サーバ２４０より緊急情報、例えば、緊急地震情報を受信すると(ステップＳ１０１)、スピーカ２２０又は表示部２００（報知部）を用い、音声又は画像により緊急地震速報を報知する（ステップＳ１０２）。
【００４４】
次いで、制御部１００は、所定の報知時間（例えば、２分）を経過したか否か判定する（ステップＳ１０３）。所定の報知時間を経過していなければステップＳ１０３の判定処理を繰り返し、所定の報知時間を経過していれば（ステップＳ１０３のＹＥＳ）、緊急地震速報の報知を終了し（ステップＳ１０４）、図３のフローチャートの処理に進む。
【００４５】
図３のフローチャートの処理に進むと、制御部１００は、先ず、緊急情報に対する緊急時表示データである対処情報の登録があるか否かを判定する（ステップＳ２０１）。なお、ここでは、タブレット型コンピュータ１０は、緊急情報に対する対処情報を表示させるため、利用者は図６を参照して発明した対処情報を入力し、ＲＡＭ１０３の所定の記憶部に登録できるように構成されているものとして説明する。
【００４６】
緊急時表示データである対処情報の登録がない場合（ステップＳ２０１のＮＯ）、制御部１００は、図５を参照して説明した通常の待ち受け画像（第１の待ち受け画像）をＲＡＭ１０３の所定の記憶部（待ち受け画像の記憶部）に記憶し（ステップＳ２０２）、緊急時表示データである対処情報の登録がある場合（ステップＳ２０１のＹＥＳ）、制御部１００は、登録された対処情報に基づいて、図６を参照して説明した緊急時の待ち受け画像（第２の待ち受け画像）をＲＡＭ１０３の所定の記憶部（待ち受け画像の記憶部）に記憶する（ステップＳ２０３）。
【００４７】
次に、制御部１００はＲＡＭ１０３の所定の記憶部（待ち受け画像の記憶部）に記憶された第１または第２の待ち受け画像を表示部２００の表示画面に表示する（ステップＳ２０４）。これにより、緊急情報を受信し、報知した後、対象情報である緊急時の表示情報が登録されていれば、通常の第１待ち受け画像から、対処情報を表示する第２の待ち受け画像に切り換えられ、利用者は特別な操作をすることなく、また、サーバなどと通信することなく、緊急時の対処情報を知る（アクセスする）ことができる。
【００４８】
この後、制御部１００は、ステップＳ２０５以降の処理に進み、第２待ち受け画像（緊急時の対処情報）が表示された場合に、所定の時間（例えば、避難行動を想定した場合には１時間など）は、タブレット型コンピュータ１０のスタンバイ状態への移行を無効にして上記情報を常に閲覧できる処理を行う。このようにすれば、利用者は一定の時間、特別な操作をすることなく常時、対処情報を知る（アクセスする）ことができる。
【００４９】
ステップＳ２０５の処理において制御部１００は、緊急時表示データである対処情報の登録があるか否かを判定する。緊急時表示データである対処情報の登録（第２待ち受け画像の表示）がない場合（ステップＳ２０５のＮＯ）は、表示部２００には通常の第１の待ち受け画面が表示されており、ステップＳ２０７の入力操作有無の判定処理に進む。一方、緊急時表示データである対処情報の登録（第２待ち受け画像の表示）がある場合（ステ
ップＳ２０５のＹＥＳ）は緊急時表示の解除指示があるか否か判定をする（ステップＳ２０６）。
【００５０】
制御部１００は、緊急時表示の解除指示があれば（ステップＳ２０６のＹＥＳ）、ステップＳ２０２の処理に戻り、通常の待ち受け画像（第１の待ち受け画像）をＲＡＭ１０３の所定の記憶部（待ち受け画像の記憶部）に記憶し、第１の待ち受け画像を表示させる。
【００５１】
緊急時表示の解除指示がなければ（ステップＳ２０６のＮＯ）、入力部１９０から何らかの入力操作があるか否かを判定する（ステップＳ２０７）。
【００５２】
タブレット型コンピュータ１０はある一定の時間内に何ら入力操作がない場合にはスタンバイ状態に移行する。スタンバイ状態とは、無線通信部１４０による受信機能のみを起動させておき、表示部２００による画像表示を含む他の機能を停止させることにより、二次電池１３０の電力消費を必要最小限にする状態である。また、タブレット型コンピュータ１０を使用しない場合、利用者は、入力部１９０のタッチパネル１９１又はハードキー１９２を用いて、タブレット型コンピュータ１０をスタンバイ状態に設定できる。
【００５３】
何らのかの入力操作がなければ（ステップＳ２０７のＮＯ）、ステップＳ２０７の処理を繰り返し、何らのかの入力操作があれば（ステップＳ２０７のＹＥＳ）、所定時間が経過したか否かを判定する（ステップＳ２０８）。所定時間が経過していなければ（ステップＳ２０８のＮＯ）、ステップＳ２０７の入力操作有無の判定に戻り、所定時間が経過していれば（ステップＳ２０８のＹＥＳ）、制御部１００はタブレット型コンピュータ１０をスタンバイ状態に移行させる（ステップＳ２０９）。この処理により、所定の時間が経過するまでは、一定の時間内に何ら入力操作がない場合のスタンバイ状態への移行が禁止される。
【００５４】
次いで、制御部１００はスタンバイ状態の解除指示があるか否かを判定し（ステップＳ２１０）、解除指示がなければ（ステップＳ２１０のＮＯ）、ステップ２１０の判定処理を繰り返し、解除指示があれば（ステップＳ２１０のＹＥＳ）、ステップＳ２０４の処理に戻る。この処理により、緊急情報の受信、報知に続き、所定の時間第２の待ち受け画像を表示した状態で、スタンバイ状態に移行し、その後スタンバイ解除（タブレット型コンピュータ１０など）された場合にも再度、緊急時の対処情報である第２の待ち受け化像を表示させることができるようになる。
【００５５】
以上説明したような処理により、第２待ち受け画像（緊急時の対処情報）が表示された場合に、所定の時間、タブレット型コンピュータ１０のスタンバイ状態への移行を無効にして第２待ち受け画像（緊急時の対処情報）を常に閲覧することができる。従って、利用者は一定の時間、特別な操作をすることなく常時、対処情報を知る（アクセスする）ことができる。
【００５６】
なお、本発明は、上述した実施例に限定されるものではなく、本発明の要旨を逸脱しない範囲で変更することが可能である。
【符号の説明】
【００５７】
１０      タブレット型コンピュータ（通信端末装置）
１００    制御部
１０１    ＣＰＵ
１０２    ＲＯＭ
１０３    ＲＡＭ
１１０    外部電源入力部
１２０    外部電源入力状態検出部
１３０    二次電池
１４０    無線通信部
１５０    カメラ
１６０    振動センサ
１７０    角度センサ
１８０    人感センサ
１９０    入力部
１９１    タッチパネル部
１９２    ハードキー
２００    表示部
２１０    アンプ
２２０    スピーカ
２３０    ネットワーク
２４０    緊急情報配信サーバ
【図１】
2014048820.tif 000003
【図２】
2014048820.tif 000004
【図３】
2014048820.tif 000005
【図４】
2014048820.tif 000006
【図５】
2014048820.tif 000007
【図６】
2014048820.tif 000008